(57)【特許請求の範囲】
【請求項１】
文字を表示する文字表示領域と、複数のアプリケーションの中から一のアプリケーションを選択するためのアプリケーション選択領域と、前記文字表示領域と前記アプリケーション選択領域とともに、数字を表示する数字表示領域とを表示する表示部と、
前記アプリケーション選択領域の中で選択されたアプリケーションにより、前記文字表示領域に表示されている文字を用いた処理を実行する制御部と、を備え、
前記制御部は、
前記文字表示領域及び前記アプリケーション選択領域とともに、前記文字を用いた処理結果を前記表示部に表示すると共に、
前記文字表示領域に表示されている文字又は前記数字表示領域に表示されている数字を処理の対象として選択し、処理の対象として選択されなかった側の表示領域に前記処理結果を表示する
電子機器。
【請求項２】
前記制御部は、前記文字を用いた処理結果が表示された状態で、選択された前記アプリケーションとは異なるアプリケーションが新たに選択された場合に、新たに選択されたアプリケーションにより、前記文字表示領域に表示されている文字を用いた処理を実行して、当該文字を用いた処理結果を前記表示部に表示する請求項１に記載の電子機器。
【請求項３】
文字及び数字が割り当てられている複数の操作キーを有し、
前記制御部は、前記操作キーが操作されると、操作された操作キーに対応する文字を前記文字表示領域に表示し、かつ操作された操作キーに対応する数字を前記数字表示領域に表示する請求項１記載の電子機器。
【請求項４】
前記表示部は、前記文字表示領域と前記アプリケーション選択領域とともに、前記文字表示領域に表示されている文字の変換候補を表示する変換候補表示領域を表示し、
前記制御部は、前記アプリケーション選択領域の中で選択されたアプリケーションにより、前記変換候補表示領域の中で選択された文字の変換候補を用いた処理を実行する請求項１記載の電子機器。
【請求項５】
制御部により文字を表示する文字表示領域と、複数のアプリケーションの中から一のアプリケーションを選択するためのアプリケーション選択領域と、前記文字表示領域と前記アプリケーション選択領域とともに、数字を表示する数字表示領域とを表示部に表示する表示工程と、
操作部により前記アプリケーション選択領域の中からアプリケーションを選択する選択工程と、
前記選択工程によって選択されたアプリケーションにより前記文字表示領域に表示されている文字を用いた処理を実行する処理工程と、を備え、
前記表示工程は、
前記制御部により前記文字表示領域及び前記アプリケーション選択領域とともに、前記処理工程による前記文字を用いた処理結果を前記表示部に表示すると共に、
前記制御部により、前記文字表示領域に表示されている文字又は前記数字表示領域に表示されている数字を処理の対象として選択し、前記処理工程において処理の対象として選択されなかった側の表示領域に前記処理結果を表示する
処理方法。
【請求項６】
制御部により文字を表示する文字表示領域と、複数のアプリケーションの中から一のアプリケーションを選択するためのアプリケーション選択領域と、前記文字表示領域と前記アプリケーション選択領域とともに、数字を表示する数字表示領域とを表示部に表示する表示工程と、
操作部により前記アプリケーション選択領域の中からアプリケーションを選択する選択工程と、
前記選択工程によって選択されたアプリケーションにより前記文字表示領域に表示されている文字を用いた処理を実行する処理工程と、をコンピュータによって実現するための制御プログラムであって、
前記表示工程は、
前記制御部により前記文字表示領域及び前記アプリケーション選択領域とともに、前記処理工程による前記文字を用いた処理結果を前記表示部に表示すると共に、
前記制御部により、前記文字表示領域に表示されている文字又は前記数字表示領域に表示されている数字を処理の対象として選択し、前記処理工程において処理の対象として選択されなかった側の表示領域に前記処理結果を表示する
制御プログラム。
【発明の詳細な説明】
【技術分野】
【０００１】
本発明は、表示部に表示されている情報を処理する電子機器、処理方法及び制御プログラムに関する。
【背景技術】
【０００２】
情報処理装置には、入力操作等に基づく文字等の情報が表示部に表示された状態において、当該文字を利用して所定の処理を実行する各種アプリケーションが表示されるものがある（例えば、特許文献１を参照。）。
【０００３】
そして、情報処理装置は、表示されている一のアプリケーション（例えば、検索アプリケーション）が選択された場合、当該文字の処理結果（例えば、検索結果）の表示画面に切り替える。
【先行技術文献】
【特許文献】
【０００４】
【特許文献１】特開２００９−５９２６４号公報
【発明の概要】
【発明が解決しようとする課題】
【０００５】
ところで、上述したように処理結果の表示画面に切り替わってしまうと、他のアプリケーションで同じ文字を利用したい場合等に操作の手間がかかってしまい、操作性が悪くなる問題があった。
【０００６】
本発明は、操作性を向上させることができる電子機器、処理方法及び制御プログラムを提供することを一つの目的とする。
【課題を解決するための手段】
【０００７】
本発明に係る電子機器は、上記課題を解決するために、文字を表示する文字表示領域と、複数のアプリケーションの中から一のアプリケーションを選択するためのアプリケーション選択領域とを表示する表示部と、前記アプリケーション選択領域の中で選択されたアプリケーションにより、前記文字表示領域に表示されている文字を用いた処理を実行する制御部と、を備え、前記制御部は、前記文字表示領域及び前記アプリケーション選択領域とともに、前記文字を用いた処理結果を前記表示部に表示する構成である。
【０００８】
また、電子機器では、前記制御部は、前記文字を用いた処理結果が表示された状態で、選択された前記アプリケーションとは異なるアプリケーションが新たに選択された場合に、新たに選択されたアプリケーションにより、前記文字表示領域に表示されている文字を用いた処理を実行して、当該文字を用いた処理結果を前記表示部に表示する構成でも良い。
【０００９】
また、電子機器では、前記表示部は、前記文字表示領域と前記アプリケーション選択領域とともに、数字を表示する数字表示領域を表示し、前記制御部は、前記文字表示領域に表示されている文字又は前記数字表示領域に表示されている数字を処理の対象として選択し、処理の対象として選択されなかった側の表示領域に前記処理結果を表示する構成でも良い。
【００１０】
また、電子機器では、文字及び数字が割り当てられている複数の操作キーを有し、前記制御部は、前記操作キーが操作されると、操作された操作キーに対応する文字を前記文字表示領域に表示し、かつ操作された操作キーに対応する数字を前記数字表示領域に表示する構成でも良い。
【００１１】
また、電子機器では、前記表示部は、前記文字表示領域と前記アプリケーション選択領域とともに、前記文字表示領域に表示されている文字の変換候補を表示する変換候補表示領域を表示し、前記制御部は、前記アプリケーション選択領域の中で選択されたアプリケーションにより、前記変換候補表示領域の中で選択された文字の変換候補を用いた処理を実行する構成でも良い。
【００１２】
また、本発明に係る処理方法は、上記課題を解決するために、制御部により文字を表示する文字表示領域と、複数のアプリケーションの中から一のアプリケーションを選択するためのアプリケーション選択領域とを表示部に表示する表示工程と、操作部により前記アプリケーション選択領域の中からアプリケーションを選択する選択工程と、前記選択工程によって選択されたアプリケーションにより前記文字表示領域に表示されている文字を用いた処理を実行する処理工程と、を備え、前記表示工程は、前記制御部により前記文字表示領域及び前記アプリケーション選択領域とともに、前記処理工程による前記文字を用いた処理結果を前記表示部に表示する構成である。
【００１３】
また、本発明に係る制御プログラムは、上記課題を解決するために、制御部により文字を表示する文字表示領域と、複数のアプリケーションの中から一のアプリケーションを選択するためのアプリケーション選択領域とを表示部に表示する表示工程と、操作部により前記アプリケーション選択領域の中からアプリケーションを選択する選択工程と、前記選択工程によって選択されたアプリケーションにより前記文字表示領域に表示されている文字を用いた処理を実行する処理工程と、をコンピュータによって実現するための制御プログラムであって、前記表示工程は、前記制御部により前記文字表示領域及び前記アプリケーション選択領域とともに、前記処理工程による前記文字を用いた処理結果を前記表示部に表示するものである。
【発明の効果】
【００１４】
本発明によれば、操作性を向上することができる。
【図面の簡単な説明】
【００１５】
【図１】携帯電話装置の外観斜視図である。
【図２】携帯電話装置の機能を示す機能ブロック図である。
【図３】待受画面が表示されている状態からキー操作が行われることによって、文字表示領域と数字表示領域とが表示される様子を模式的に示す図である。
【図４】文字表示領域とアプリケーション選択領域が表示部に表示される様子を模式的に示す図である。
【図５】文字表示領域とアプリケーション選択領域が表示部に表示される様子を模式的に示す図である。
【図６】文字表示領域とアプリケーション選択領域と数字表示領域が表示部に表示される様子を模式的に示す図である。
【図７】待受画面が表示されている状態からキー操作が行われることによって、文字表示領域とアプリケーション選択領域と数字表示領域とが表示される様子を模式的に示す図である。
【図８】文字表示領域と変換候補表示領域とアプリケーション選択領域が表示部に表示される様子を模式的に示す図である。
【図９】画面の遷移により携帯電話装置の動作の一例について説明する図である。
【図１０】画面の遷移により携帯電話装置の動作の一例について説明する図である。
【図１１】画面の遷移により携帯電話装置の動作の一例について説明する図である。
【図１２】画面の遷移により携帯電話装置の動作の一例について説明する図である。
【図１３】画面の遷移により携帯電話装置の動作の一例について説明する図である。
【図１４】携帯電話装置の動作の流れについての説明に供するフローチャートである。
【発明を実施するための形態】
【００１６】
以下、本発明の実施の形態について説明する。図１は、本発明に係る電子機器の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ、フリップタイプ）でも良い。
【００１７】
また、本実施例では、物理的な操作部側筐体部２を備える形態について説明するが、これに限られない。例えば、表示部の表面にタッチスクリーンを搭載し、表示部にソフトキーボードを表示し、タッチスクリーンをタッチ操作することによって文字の入力等が行われる構成でも良い。
【００１８】
携帯電話装置１は、操作部側筐体部２と、表示部側筐体部３とを備えて構成される。操作部側筐体部２は、表面部１０に、操作部１１と、携帯電話装置１の使用者が通話時に発した音声が入力されるマイク１２とを備えて構成される。操作部１１は、各種設定や電話帳機能やメール機能等の各種機能を作動させるための機能設定操作キー１３と、電話番号の数字やメール等の文字等を入力するための操作キー１４と、各種操作における決定やスクロール等を行う決定操作キー１５と、から構成されている。
【００１９】
また、表示部側筐体部３は、表面部２０に、各種情報を表示するための表示部２１と、通話の相手側の音声を出力する第１のスピーカ２２と、音楽等を出力する第２のスピーカ２３を備えて構成されている。なお、表示部２１は、各種情報を表示できる構成であれば良く、ＬＣＤ（Ｌｉｑｕｉｄ  Ｃｒｙｓｔａｌ  Ｄｉｓｐｌａｙ）や、有機ＥＬパネル等が該当する。
【００２０】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２１】
また、図２は、携帯電話装置１の機能を示す機能ブロック図である。携帯電話装置１は、図２に示すように、操作部１１と、マイク１２と、メインアンテナ４０と、ＲＦ回路部４１と、表示制御部４２と、音声処理部４３と、メモリ４４と、制御部４５と、再生部４６が操作部側筐体部２に備えられ、表示部２１と、第１のスピーカ２２と、第２のスピーカ２３と、ドライバＩＣ２４とが表示部側筐体部３に備えられている。
【００２２】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であっても良い。また、メインアンテナ４０は、第１の使用周波数帯で外部装置と通信を行い、ＧＰＳ通信のための第２の使用周波数帯に対応できるアンテナを別途設けても良い。
【００２３】
ＲＦ回路部４１は、メインアンテナ４０によって受信した信号を復調処理し、処理後の信号を制御部４５に供給する。そして、制御部４５から供給された信号を変調処理し、メインアンテナ４０を介して外部装置（基地局）に送信する。また、その一方で、メインアンテナ４０によって受信している信号の強度を制御部４５に通知する。また、メインアンテナ４０とＲＦ回路部４１を総括して、通信部５０という。
【００２４】
表示制御部４２は、制御部４５の制御にしたがって、所定の画像処理を行い、処理後の画像データをドライバＩＣ２４に出力する。ドライバＩＣ２４は、表示制御部４２から供給された画像データをフレームメモリに蓄え、所定のタイミングで表示部２１に出力する。
【００２５】
音声処理部４３は、制御部４５の制御にしたがって、ＲＦ回路部４１から供給された信号に対して所定の音声処理を行い、処理後の信号を第１のスピーカ２２に出力する。第１のスピーカ２２は、音声処理部４３から供給された信号を外部に出力する。
【００２６】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２７】
メモリ４４は、例えば、ワーキングメモリを含み、制御部４５による演算処理に利用される。また、メモリ４４には、複数のアプリケーションや当該アプリケーションが必要とする各種のテーブルや、音楽データや、映画データ等が記憶されている。また、メモリ４４は、着脱可能な外部メモリを兼ねていても良い。
【００２８】
再生部４６は、例えば、メモリ４４に格納されている映画データに対して再生処理を行い、同期をとって、再生処理後の映像信号を表示制御部４２に供給し、音声信号を第２のスピーカ２３に供給する。
【００２９】
制御部４５は、携帯電話装置１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、操作キー１４、決定操作キー１５）に割り当てる記号や機能を変化させる。
【００３０】
また、メモリ４４には、複数のキーアサインテーブルが格納されており、制御部４５は、起動されているアプリケーションに応じて、参照するキーアサインテーブルを切り替え、操作部１１から送信されてくるキーの情報（例えば、各キーに固有に割り当てられているＩＤ情報等）に基づいて所定のキーアサインテーブルを参照し、所定の処理を実行する。
【００３１】
また、携帯電話装置１では、通信の待ち受け状態（待受画面が表示されている状態）において、キー操作が行われた場合に、当該キーに割り当てられている複数の記号（例えば、数字や文字）のそれぞれを、例えば、別々の画面領域に並列的に表示する機能を有している。ここで、待受画面が表示されている状態とは、主電源が投入され、通信セッションの確立処理が終了し、通信の待ち受けや、メールアプリケーション等の起動が可能になっている状態をいう。
【００３２】
例えば、制御部４５は、待受画面１００が表示されている状態において（図３（ａ））、操作キー１４の第２行左列のキー（数字の「１」等が印刷されているキー）が２回押下され、その後、操作キー１４の第３行左列のキー（数字の「４」等が印刷されているキー）が１回押下され、当該押下に応じてキーの位置情報が入力された場合、メモリ４４に格納されている文字のキーアサインテーブルを参照して文字表示領域１０１に文字列「いた」を表示し、かつ、メモリ４４に格納されている数字のキーアサインテーブルを参照して数字表示領域１０２に数字列「１１４」を表示させる（図３（ｂ））。
【００３３】
また、制御部４５は、文字表示領域１０１に表示されている文字の変換候補を変換候補表示領域１０３に表示する。具体的には、制御部４５は、図３（ｂ）に示すように、文字表示領域１０１に表示されている「いた」に対する変換候補として、「いた」、「板」を変換候補表示領域１０３に表示する。なお、本実施例では、変換候補表示領域１０３は、文字表示領域１０１の下部に表示されるものとして説明するが、この表示位置に限られない。
【００３４】
また、制御部４５は、文字表示領域１０１に「いた」を表示し、数字表示領域１０２に「１１４」を表示している状態において、変換機能が操作された場合（例えば、決定操作キー１５の上下キーが操作された場合）、文字表示領域１０１に表示されている「いた」に対して変換処理を行う。また、制御部４５は、文字表示領域１０１に「いた」を表示し、数字表示領域１０２に「１１４」を表示している状態において、発信の操作がされた場合（例えば、操作キー１４のオンフックボタンが選択された場合）、数字表示領域１０２に表示されている「１１４」を電話番号として発信処理を行う。
【００３５】
このように構成される携帯電話装置１は、操作性の向上を図る機能を有している。以下に、上述した機能を発揮するための構成について詳細に説明する。
【００３６】
表示部２１は、図４に示すように、文字を表示する文字表示領域１０１と、複数のアプリケーションの中から一のアプリケーションを選択するためのアプリケーション選択領域１０４とを表示する。なお、図４において、アプリケーション選択領域１０４には、複数のアプリケーションとして、３つのアプリケーションのショートカットアイコン（ＡＰ１、ＡＰ２及びＡＰ３）を示しているが、３つに限られない。また、アプリケーション選択領域１０４は、スクロール表示等を利用して、複数のアプリケーションが選択可能なように構成されても良い。
【００３７】
制御部４５は、アプリケーション選択領域１０４の中で選択されたアプリケーションにより、文字表示領域１０１に表示されている文字を用いた処理を実行する。また、制御部４５は、文字表示領域１０１及びアプリケーション選択領域１０４とともに、文字を用いた処理結果を表示部２１に表示する。
【００３８】
具体的には、制御部４５は、文字表示領域１０１に「はつめい」が表示されている状態において、アプリケーション選択領域１０４から辞書アプリケーションを選択すると、「今までなかったものを新たに考え出すこと。・・・」という処理結果を、文字表示領域１０１及びアプリケーション選択領域１０４とともに表示する。なお、文字表示領域１０１に表示される文字は、ユーザが操作キー１４を操作して入力するものでも良いし、メモリ４４に記憶されているテキストデータを読み出し、当該テキストデータに入力されているものでも良いし、インターネットを利用して閲覧したＷｅｂページから読み込んだものでも良い。
【００３９】
このようにして、携帯電話装置１は、文字表示領域１０１に表示された文字を用いて処理した結果を別のページ（画面）に切り替えて表示せずに、文字表示領域１０１及びアプリケーション選択領域１０４とともに表示することができる。よって、携帯電話装置１は、利用した文字と、複数のアプリケーションの中から処理したアプリケーションと、その処理の結果を、ひと目で把握させることができ、操作性の向上を図ることができる。
【００４０】
また、上述では、携帯電話装置１の構成と動作について説明したが、これに限られず、各構成要素を備え、操作性を向上するための方法や、プログラムとして構成されても良い。
【００４１】
制御部４５は、文字を用いた処理結果が表示された状態で、選択されたアプリケーションとは異なるアプリケーションが新たに選択された場合に、新たに選択されたアプリケーションにより、文字表示領域１０１に表示されている文字を用いた処理を実行して、当該文字を用いた処理結果を表示部２１に表示する構成でも良い。
【００４２】
なお、以下では、アプリケーション選択領域１０４には、図５に示すように、辞書アプリケーションと、和英辞典アプリケーションと、英和辞典アプリケーションを起動するためのアイコンがそれぞれ表示されているものとする。
【００４３】
制御部４５は、文字表示領域１０１に「はつめい」が表示されている状態において、アプリケーション選択領域１０４から辞書アプリケーションが選択されると、例えば、「今までなかったものを新たに考え出すこと。・・・」という処理結果を表示する。
【００４４】
そして、制御部４５は、この状態で、アプリケーション選択領域１０４から和英辞典アプリケーションが選択されると、例えば、「今までなかったものを新たに考え出すこと。・・・」に変えて「ｉｎｖｅｎｔｉｏｎ」という処理結果を表示する。
【００４５】
このようにして、携帯電話装置１は、文字表示領域１０１に表示された文字を用いて処理した結果を別のページ（画面）に切り替えて表示せずに、文字表示領域１０１及びアプリケーション選択領域１０４とともに表示することができる。よって、携帯電話装置１は、アプリケーションの選択を変更するだけで、同じ文字について、様々な処理結果をひと目で得ることができ、操作性の向上を図ることができる。
【００４６】
表示部２１は、図６に示すように、文字表示領域１０１とアプリケーション選択領域１０４とともに、数字を表示する数字表示領域１０２を表示する。制御部４５は、文字表示領域１０１に表示されている文字又は数字表示領域１０２に表示されている数字を処理の対象として選択し、処理の対象として選択されなかった側の表示領域に処理結果を表示する構成でも良い。
【００４７】
具体的には、制御部４５は、キー操作にしたがって、文字表示領域１０１に「はつめい」が表示され、数字表示領域１０２に「６４４４７７７７１１」が表示されている状態において、アプリケーション選択領域１０４から辞書アプリケーションが選択された場合には、以下のように動作する。制御部４５は、文字表示領域１０１に表示されている「はつめい」に基づいて、「今までなかったものを新たに考え出すこと。・・・」という処理結果を数字表示領域１０２に表示する。
【００４８】
また、制御部４５は、キー操作にしたがって、文字表示領域１０１に「あを」が表示され、数字表示領域１０２に「１００」が表示されている状態において、アプリケーション選択領域１０４から両替アプリケーションが選択された場合には、以下のように動作する。制御部４５は、数字表示領域１０２に表示されている「１００」に基づいて、「０．９６ユーロ」という処理結果を文字表示領域１０１に表示する。なお、両替アプリケーションは、様々な通貨間の価値を換算するためのアプリケーションであって、日本円からユーロへの変換のみに限られない。
【００４９】
このようにして、携帯電話装置１は、文字表示領域１０１に表示された文字、又は数字表示領域１０２に表示された数字のいずれかを処理の対象として選択し、アプリケーションによって処理された結果を処理の対象とされなかった側の表示領域に表示するので、表示領域を有効に活用することができる。また、携帯電話装置１は、利用した文字又は数字と、処理したアプリケーションと、その処理の結果を、ひと目で把握させることができ、操作性の向上を図ることができる。
【００５０】
なお、アプリケーション選択領域１０４に表示されるアプリケーションは、携帯電話装置１の内部又は外部のデータベースを利用して、文字表示領域１０１や数字表示領域１０２に表示される文字等に基づいて、情報（結果）を取得するものであって、例えば、辞書アプリケーションや、翻訳アプリケーションや、両替アプリケーションや、インターネットを利用した検索用アプリケーション等が該当する。
【００５１】
また、本実施例では、辞書アプリケーション、翻訳アプリケーション及び検索用アプリケーションは、文字表示領域１０１に表示されている文字等を利用し、両替アプリケーションは、数字表示領域１０２に表示されている数字を利用するものとして説明するが、これに限られない。例えば、アプリケーションを選択後に、文字表示領域１０１又は数字表示領域１０２のいずれかを選択する構成でも良い。
【００５２】
また、携帯電話装置１は、上述したように、文字及び数字が割り当てられている複数の操作キー１４を有している。制御部４５は、操作キー１４が操作されると、操作された操作キー１４に対応する文字を文字表示領域１０１に表示し、かつ操作された操作キー１４に対応する数字を数字表示領域１０２に表示する構成でも良い。
【００５３】
なお、操作キー１４には、直接的に文字及び数字が割り当てられていなくても良く、固有のＩＤ情報が割り当てられている構成でも良い。この構成の場合には、制御部４５は、操作キー１４からＩＤ情報が送信されたときに、所定のキーアサインテーブルを参照して、当該ＩＤ情報に対応する文字を文字表示領域１０１に表示し、また、当該ＩＤ情報に対応する数字を数字表示領域に表示する。
【００５４】
具体的には、制御部４５は、図７（ａ）、（ｂ）に示すように、待受画面（通信の待受状態であって、メールアプリケーション等が起動していない状態）１００から、キー操作を行った場合に、キーに対応する文字と数字をそれぞれ異なる表示領域に表示する。その後、制御部４５は、アプリケーション選択領域１０４の中から選択されたアプリケーションに応じて、文字表示領域１０１に表示されている文字、又は数字表示領域１０２に表示されている数字を利用して処理を実行する。そして、制御部４５は、処理の結果を処理の対象とされなかった側の表示領域に表示する。
【００５５】
このようにして、携帯電話装置１は、表示領域を有効に活用することができる。また、携帯電話装置１は、利用した文字又は数字と、処理したアプリケーションと、その処理の結果を、ひと目で把握させることができ、操作性の向上を図ることができる。
【００５６】
また、表示部２１は、図８に示すように、文字表示領域１０１とアプリケーション選択領域１０４とともに、文字表示領域１０１に表示されている文字の変換候補を表示する変換候補表示領域１０３を表示する。制御部４５は、アプリケーション選択領域１０４の中で選択されたアプリケーションにより、変換候補表示領域１０３の中で選択された文字の変換候補を用いた処理を実行する構成でも良い。
【００５７】
具体的には、図９（ａ）に示すように、キー操作にしたがって、文字表示領域１０１に「あ」が表示され、変換候補表示領域１０３に「あ」の変換候補（「明日」、「朝」、「あなた」）が表示され、数字表示領域１０２に「１」が表示され、変換候補表示領域１０３の「明日」が選択されている状態において、アプリケーション選択領域１０４から辞書アプリケーションが選択された場合には、制御部４５は、以下のように動作する。制御部４５は、図９（ｂ）に示すように、変換候補表示領域１０３の「明日」に基づいて、「今日の次の日。明日（みょうにち）」という処理結果を数字表示領域１０２に表示する。
【００５８】
また、図９（ｃ）に示すように、キー操作にしたがって、文字表示領域１０１に「あ」が表示され、変換候補表示領域１０３に「あ」の変換候補（「明日」、「朝」、「あなた」）が表示され、数字表示領域１０２に「１」が表示され、変換候補表示領域１０３の「朝」が選択されている状態において、アプリケーション選択領域１０４から辞書アプリケーションが選択された場合には、制御部４５は、以下のように動作する。制御部４５は、図９（ｄ）に示すように、変換候補表示領域１０３の「朝」に基づいて、「夜が明けてからしばらくの間。」という処理結果を数字表示領域１０２に表示する。
【００５９】
また、図１０（ａ）に示すように、キー操作にしたがって、文字表示領域１０１に「あ」が表示され、変換候補表示領域１０３に「あ」の変換候補（「明日」、「朝」、「あなた」）が表示され、数字表示領域１０２に「１」が表示され、変換候補表示領域１０３の「明日」が選択されている状態において、アプリケーション選択領域１０４から和英辞書アプリケーションが選択された場合には、制御部４５は、以下のように動作する。制御部４５は、図１０（ｂ）に示すように、変換候補表示領域１０３の「明日」に基づいて、「ｔｏｍｏｒｒｏｗ」という処理結果を数字表示領域１０２に表示する。
【００６０】
また、図１０（ｃ）に示すように、キー操作にしたがって、文字表示領域１０１に「あ」が表示され、変換候補表示領域１０３に「あ」の変換候補（「明日」、「朝」、「あなた」）が表示され、数字表示領域１０２に「１」が表示され、変換候補表示領域１０３の「朝」が選択されている状態において、アプリケーション選択領域１０４から和英辞書アプリケーションが選択された場合には、制御部４５は、以下のように動作する。制御部４５は、図１０（ｄ）に示すように、変換候補表示領域１０３の「朝」に基づいて、「ｍｏｒｎｉｎｇ」という処理結果を数字表示領域１０２に表示する。
【００６１】
また、図１１（ａ）に示すように、キー操作にしたがって、文字表示領域１０１に「あを」が表示され、変換候補表示領域１０３に「あを」の変換候補（「アヲ」）が表示され、数字表示領域１０２に「１００」が表示されている状態において、アプリケーション選択領域１０４から両替アプリケーション（円から米ドルへの変換）が選択された場合には、制御部４５は、以下のように動作する。制御部４５は、図１１（ｄ）に示すように、数字表示領域１０２の「１００」に基づいて、米ドルに換算した値である「１．３０ドル」を文字表示領域１０１に表示する。
【００６２】
また、図１１（ｃ）に示すように、キー操作にしたがって、文字表示領域１０１に「あを」が表示され、変換候補表示領域１０３に「あを」の変換候補（「アヲ」）が表示され、数字表示領域１０２に「１００」が表示されている状態において、アプリケーション選択領域１０４から両替アプリケーション（円からユーロへの変換）が選択された場合には、制御部４５は、以下のように動作する。制御部４５は、図１１（ｄ）に示すように、数字表示領域１０２の「１００」に基づいて、ユーロに換算した値である「０．９６ユーロ」を文字表示領域１０１に表示する。なお、両替アプリケーションは、変換前後の通貨を自由に設定できるものとする。
【００６３】
また、図１２（ａ）に示すように、キー操作にしたがって、文字表示領域１０１に「ａｎｔ」が表示され、変換候補表示領域１０３に「ａｎｔ」の変換候補（「ａｎｔ」、「ａｎｔ  ｂｅａｒ」）が表示され、数字表示領域１０２に「２６６８」が表示され、変換候補表示領域１０３の「ａｎｔ」が選択されている状態において、アプリケーション選択領域１０４からｄｉｃアプリケーション（英英辞典アプリケーション）が選択された場合には、制御部４５は、以下のように動作する。制御部４５は、図１２（ｂ）に示すように、変換候補表示領域１０３の「ａｎｔ」に基づいて、「ａ  ｓｍａｌｌ  ｉｎｓｅｃｔ  ｔｈａｔ  ｌｉｖｅｓ  ｉｎ  ｈｉｇｈｌｙ  ｏｒｇａｎｉｚｅｄ  ｇｒｏｕｐｓ．」という処理結果を数字表示領域１０２に表示する。
【００６４】
また、図１２（ｃ）に示すように、キー操作にしたがって、文字表示領域１０１に「ａｎｔ」が表示され、変換候補表示領域１０３に「ａｎｔ」の変換候補（「ａｎｔ」、「ａｎｔ  ｂｅａｒ」）が表示され、数字表示領域１０２に「２６６８」が表示され、変換候補表示領域１０３の「ａｎｔ  ｂｅａｒ」が選択されている状態において、アプリケーション選択領域１０４からｄｉｃアプリケーションが選択された場合には、制御部４５は、以下のように動作する。制御部４５は、図１２（ｄ）に示すように、変換候補表示領域１０３の「ａｎｔ  ｂｅａｒ」に基づいて、「ａ  ｌａｒｇｅ  ａｎｔｅａｔｅｒ」という処理結果を数字表示領域１０２に表示する。
【００６５】
また、図１３（ａ）に示すように、キー操作にしたがって、文字表示領域１０１に「ａｎｔ」が表示され、変換候補表示領域１０３に「ａｎｔ」の変換候補（「ａｎｔ」、「ａｎｔ  ｂｅａｒ」）が表示され、数字表示領域１０２に「２６６８」が表示され、変換候補表示領域１０３の「ａｎｔ」が選択されている状態において、アプリケーション選択領域１０４からＥＪ−ｄｉｃアプリケーション（英和辞典アプリケーション）が選択された場合には、制御部４５は、以下のように動作する。制御部４５は、図１３（ｂ）に示すように、変換候補表示領域１０３の「ａｎｔ」に基づいて、「虫、アリ（蟻）」という処理結果を数字表示領域１０２に表示する。
【００６６】
また、図１３（ｃ）に示すように、キー操作にしたがって、文字表示領域１０１に「ａｎｔ」が表示され、変換候補表示領域１０３に「ａｎｔ」の変換候補（「ａｎｔ」、「ａｎｔ  ｂｅａｒ」）が表示され、数字表示領域１０２に「２６６８」が表示され、変換候補表示領域１０３の「ａｎｔ  ｂｅａｒ」が選択されている状態において、アプリケーション選択領域１０４からＥＪ−ｄｉｃアプリケーションが選択された場合には、制御部４５は、以下のように動作する。制御部４５は、図１３（ｄ）に示すように、変換候補表示領域１０３の「ａｎｔ  ｂｅａｒ」に基づいて、「動、１．オオアリクイ、２．ツチブタ」という処理結果を数字表示領域１０２に表示する。
【００６７】
上述は、携帯電話装置１による動作の一例を示したものであって、これに限られない。
例えば、文字表示領域１０１に入力した文字列を利用して処理した結果を数字表示領域１０２に表示する一例について以下に説明する。
【００６８】
制御部４５は、文字表示領域１０１に「よこ」が入力され、変換候補表示領域１０３の中から「横浜太郎」が選択され、アプリケーション選択領域１０４から誕生日アプリケーションが選択された場合には、例えば、アドレス帳を参照し、横浜太郎の誕生日（７月１５日）を抽出し、「０７１５」を数字表示領域１０２に表示する。
【００６９】
また、制御部４５は、文字表示領域１０１に「かが」が入力され、変換候補表示領域１０３の中から「加賀原」が選択され、アプリケーション選択領域１０４から郵便番号検索アプリケーションが選択された場合には、例えば、インターネットを利用して所定のＷｅｂページにアクセスし、神奈川県横浜市都筑区加賀原の郵便番号（２２４−００５５）を抽出し、「２２４００５５」を数字表示領域１０２に表示する。
【００７０】
また、制御部４５は、文字表示領域１０１に「いて」が入力され、変換候補表示領域１０３の中から「射手座」が選択され、アプリケーション選択領域１０４から星座アプリケーションが選択された場合には、例えば、インターネットを利用して所定のＷｅｂページにアクセスし、射手座の誕生日（１１月２３日１２月２２日）を抽出し、「１１２３−１２２２」を数字表示領域１０２に表示する。
【００７１】
また、制御部４５は、文字表示領域１０１に「もり」が入力され、変換候補表示領域１０３の中から「森」が選択され、アプリケーション選択領域１０４から画数アプリケーションが選択された場合には、例えば、インターネットを利用して所定のＷｅｂページにアクセスし、森の画数（１３画）を抽出し、「１３」を数字表示領域１０２に表示する。
【００７２】
また、制御部４５は、文字表示領域１０１に「ひまわ」が入力され、変換候補表示領域１０３の中から「ひまわり」が選択され、アプリケーション選択領域１０４から花言葉アプリケーションが選択された場合には、例えば、インターネットを利用して所定のＷｅｂページにアクセスし、ひまわりの花言葉（崇拝）を抽出し、「崇拝」を数字表示領域１０２に表示する。
【００７３】
つぎに、数字表示領域１０２に入力した数字列を利用して処理した結果を文字表示領域１０１に表示する一例について以下に説明する。
【００７４】
制御部４５は、数字表示領域１０２に「１１７」が入力され、文字表示領域１０１に「いま」が表示され、変換候補表示領域１０３に「今」が表示され、アプリケーション選択領域１０４から緊急連絡先アプリケーションが選択された場合には、例えば、インターネットを利用して所定のＷｅｂページにアクセスし、電話番号１１７番に対応するサービス（時報）を取得し、「時報」を文字表示領域１０１に表示する。
【００７５】
また、制御部４５は、数字表示領域１０２に「７」が入力され、文字表示領域１０１に「ま」が表示され、変換候補表示領域１０３に「また」が表示され、アプリケーション選択領域１０４から暦アプリケーションが選択された場合には、例えば、インターネットを利用して所定のＷｅｂページにアクセスし、７月の情報を取得し、「文月（ふみづき、ふづき）、Ｊｕｌｙ、Ｊｕｌ．」を文字表示領域１０１に表示する。
【００７６】
また、制御部４５は、数字表示領域１０２に「４」が入力され、文字表示領域１０１に「た」が表示され、変換候補表示領域１０３に「だから」が表示され、アプリケーション選択領域１０４から誕生石アプリケーションが選択された場合には、例えば、インターネットを利用して所定のＷｅｂページにアクセスし、４月の誕生石（ダイヤモンド）を取得し、「ダイヤモンド」を文字表示領域１０１に表示する。
【００７７】
また、制御部４５は、数字表示領域１０２に「１１０」が入力され、文字表示領域１０１に「いわ」が表示され、変換候補表示領域１０３に「いわゆる」が表示され、アプリケーション選択領域１０４から長寿の祝アプリケーションが選択された場合には、例えば、インターネットを利用して所定のＷｅｂページにアクセスし、１１０歳の賀寿（珍寿）を抽出し、「珍寿」を文字表示領域１０１に表示する。
【００７８】
また、制御部４５は、数字表示領域１０２に「４」が入力され、文字表示領域１０１に「た」が表示され、変換候補表示領域１０３に「だから」が表示され、アプリケーション選択領域１０４から震度アプリケーションが選択された場合には、例えば、インターネットを利用して所定のＷｅｂページにアクセスし、震度４の解説を抽出し、「ほとんどの人が驚く。歩いている人のほとんどが、揺れを感じる。眠っている人のほとんどが、目を覚ます。」を文字表示領域１０１に表示する。
【００７９】
また、制御部４５は、数字表示領域１０２に「１２」が入力され、文字表示領域１０１に「あか」が表示され、変換候補表示領域１０３に「赤」が表示され、アプリケーション選択領域１０４から２進数計算アプリケーションが選択された場合には、例えば、電卓機能を利用して、１２を２進数に変換した値（１１００）を算出し、「１１００」を文字表示領域１０１に表示する。
【００８０】
また、制御部４５は、数字表示領域１０２に「３０」が入力され、文字表示領域１０１に「さわ」が表示され、変換候補表示領域１０３に「爽やか」が表示され、アプリケーション選択領域１０４からｓｉｎ算出アプリケーションが選択された場合には、例えば、電卓機能を利用して、ｓｉｎ３０を算出し、「０．５」を文字表示領域１０１に表示する。
【００８１】
また、制御部４５は、数字表示領域１０２に「４」が入力され、文字表示領域１０１に「た」が表示され、変換候補表示領域１０３に「だから」が表示され、アプリケーション選択領域１０４から階乗計算アプリケーションが選択された場合には、例えば、電卓機能を利用して、４の階乗（４！）を算出し、「２４」を文字表示領域１０１に表示する。
【００８２】
また、制御部４５は、数字表示領域１０２に「７７」が入力され、文字表示領域１０１に「み」が表示され、変換候補表示領域１０３に「皆さん」が表示され、アプリケーション選択領域１０４から華氏・摂氏換算式アプリケーションが選択された場合には、例えば、電卓機能を利用して、華氏７７度を摂氏に換算し、「２５」を文字表示領域１０１に表示する。
【００８３】
このようにして、携帯電話装置１は、文字表示領域１０１に表示された文字、又は数字表示領域１０２に表示された数字のいずれかを処理の対象として選択し、アプリケーションによって処理された結果を処理の対象とされなかった側の表示領域に表示するので、表示領域を有効に活用することができる。
【００８４】
また、携帯電話装置１の動作の流れについて、図１４に示すフローチャートを参照しながら説明する。なお、以下では、文字表示領域１０１に表示される文字は、操作キー１４により入力されるものとして説明するが、これに限られず、既に文字が入力されているテキストデータの文字を利用しても良い。
【００８５】
ステップＳＴ１において、制御部４５は、操作キー１４が操作された場合に、操作に応じた文字が入力された文字表示領域１０１と、アプリケーションを選択するためのアプリケーション選択領域１０４を表示部２１に表示する。
【００８６】
ステップＳＴ２において、制御部４５は、操作キー１４によりアプリケーション選択領域１０４の中から一のアプリケーションが選択されたか否かを判断する。アプリケーションが選択されたと判断した場合（Ｙｅｓ）には、ステップＳＴ３に進み、アプリケーションが選択されていないと判断した場合（Ｎｏ）には、処理を終了する。
【００８７】
ステップＳＴ３において、制御部４５は、ステップＳＴ２により選択されたアプリケーションにより文字表示領域１０１に表示されている文字を用いた処理を実行する。
【００８８】
ステップＳＴ４において、制御部４５は、ステップＳＴ３により処理された結果を表示部２１に表示する。例えば、制御部４５は、文字表示領域１０１に「はつめい」が表示されている状態において、アプリケーション選択領域１０４から辞書アプリケーションが選択された場合、「今までなかったものを新たに考え出すこと。・・・」という処理結果を、文字表示領域１０１及びアプリケーション選択領域１０４とともに表示する。
【００８９】
このようにして、携帯電話装置１は、文字表示領域１０１に表示された文字を用いて処理した結果を別のページ（画面）に切り替えて表示せずに、文字表示領域１０１及びアプリケーション選択領域１０４とともに表示することができる。よって、携帯電話装置１は、利用した文字と、処理したアプリケーションと、その処理の結果を、ひと目で把握させることができ、操作性の向上を図ることができる。
【符号の説明】
【００９０】
１  携帯電話装置
２  操作部側筐体部
３  表示部側筐体部
１４  操作キー
２１  表示部
４５  制御部
１０１  文字表示領域
１０２  数字表示領域
１０３  変換候補表示領域
１０４  アプリケーション選択領域
【図１】
0005752006.tif 000002
【図２】
0005752006.tif 000003
【図３】
0005752006.tif 000004
【図４】
0005752006.tif 000005
【図５】
0005752006.tif 000006
【図６】
0005752006.tif 000007
【図７】
0005752006.tif 000008
【図８】
0005752006.tif 000009
【図９】
0005752006.tif 000010
【図１０】
0005752006.tif 000011
【図１１】
0005752006.tif 000012
【図１２】
0005752006.tif 000013
【図１３】
0005752006.tif 000014
【図１４】
0005752006.tif 000015